(57)【要約】【課題】ユーザデータ領域において、記録レーザパワー調整が精度よく実行できない。【解決手段】ユーザデータ領域にデータを記録する際に、記録すべきユーザデータとともに同期して、記録レーザパワー調整用のデータをも記録する。この記録レーザパワー調整用のデータを再生することで、ユーザデータの記録位置に適した記録レーザパワーの調整を行いユーザデータを記録する。これにより、光ディスクの記録位置に適した記録レーザパワーを調整することができ、より記録品質の良好な光ディスクの記録が出来る。【選択図】  図１
2007109288.tif 000002
【特許請求の範囲】
【請求項１】
記録可能な光ディスクのユーザがユーザデータを記録することが可能なユーザデータ記録可能領域に、
ユーザデータを記録するユーザデータ領域と記録レーザパワーの調整をするためのデータを記録する領域とを１つの記録データブロックとして、
前記記録データブロックを複数繰り返して記録し、
前記繰り返して記録された記録データブロックの前記記録レーザパワーの調整をするためのデータは少なくとも２つ以上の異なった値で記録することを特徴とする光ディスク装置。
【請求項２】
請求項１に記載の光ディスク装置において、
前記繰り返して記録された記録データブロックの前記記録レーザパワーの調整をするためのデータを基に、次回ユーザデータ記録時の記録レーザパワーを調整することを特徴とする光ディスク装置。
【請求項３】
請求項１に記載の光ディスク装置において、
ユーザデータを記録するユーザデータ領域と記録レーザパワーの調整をするためのデータを記録する領域とは、エラー訂正符号付きの最小単位のデータであることを特徴とする光ディスク装置。
【請求項４】
記録可能な光ディスクにおいて、
ユーザがユーザデータを記録することが可能なユーザデータ記録可能領域であって、
ユーザデータを記録するユーザデータ領域と記録レーザパワーの調整をするためのデータを記録する領域とを１つの記録データブロックとして、
前記記録データブロックを複数繰り返して記録可能であり、
前記繰り返して記録された記録データブロックの前記記録レーザパワーの調整をするためのデータは少なくとも２つ以上の異なった値で記録可能な領域である
ことを特徴とする光ディスク。
【請求項５】
請求項４に記載の光ディスクにおいて、
前記記録レーザパワーの調整をするためのデータは、記録後に再生することで、前記ユーザデータを記録するディスク位置に適したレーザパワーを光ディスク装置が調整することができるデータであることを特徴とした光ディスク。
【請求項６】
請求項５に記載の光ディスクにおいて、
前記ユーザデータ記録領域には、ユーザデータ領域と記録レーザパワーの調整をするためのデータを記録する領域ともに、エラー訂正符号付きの最小記録データ単位のデータが記録されることを特徴とする光ディスク。
【請求項７】
請求項６に記載の光ディスクにおいて、
前記ユーザデータ記録領域と、前記記録レーザパワーの調整をするためのデータを記録するための領域の配列が規則的に繰り返して設けられたことを特徴とする光ディスク。
【発明の詳細な説明】
【技術分野】
【０００１】
本発明は、光ディスク装置に関わるものであり、特に光ディスクへの記録レーザパワー制御に関する。
【背景技術】
【０００２】
記録型の光ディスクにデータを記録するには、レーザ光を光ディスク記録面に照射し、熱を加える。これにより、ディスク記録面に記録マークを形成し、データとして記録する。この際、ディスクに記録するためのレーザパワーは、従来では、光ディスク規格において論理的に設けてあるパワー調整用の領域において、試しにデータを記録し、それを再生することで記録レーザパワーの調整を行い決定している。
【０００３】
以下、該記録レーザパワー調整のことをＯＰＣ（Ｏｐｔｉｍｕｍ Ｐｏｗｅｒ Ｃｏｎｔｒｏｌ）と称す。従来の光ディスク規格では、ＯＰＣ用の領域は、ディスクの内周や外周に存在する。以下ＯＰＣ用の領域をＰＣＡ（Ｐｏｗｅｒ  Ｃａｌｉｂｒａｔｉｏｎ  Ａｒｅａ）と称す。ＯＰＣをＰＣＡにて実行することで、記録レーザパワーをディスクに適したパワーに調整することが可能である。
【０００４】
但し、光ディスクの感度特性の内外周差や周囲の温度変化によってもディスクに最適な記録レーザパワーが変化するため、ＰＣＡにて求めた記録パワーが最適なレーザパワーであるとは限らない。そのため、特許文献１では、記録した情報の読み出しを短い単位で間欠的に行い、情報記録時のレーザ光のパワーと、上記間欠再生時に得られる再生信号のジッタをその都度計測し、ジッタ量が最小となるような記録レーザパワーを求め、求めた値のレーザ光パワーをピックアップにその都度設定している。
【０００５】
【特許文献１】特願平１０−３７５３２５号公報
【発明の開示】
【発明が解決しようとする課題】
【０００６】
特許文献１では、記録したデータを再生することで記録パワー及び再生ジッタの関係を取得し、記録パワーを調整する方法である。そのため、実際にデータを記録した時のパワーとそのパワーで記録されたデータを再生した再生ジッタとの関係しか掴むことができない。つまり、上記レーザパワー調整で算出される値は、既に記録したレーザパワーを基に算出した値であり、これから記録する領域、記録したことのない領域でのレーザパワーの情報がないため、記録に適した記録レーザパワーを算出し調整すためには精度に難がある。また、レーザパワーと再生ジッタの関係だけで、レーザパワーを調整するのは難しいという問題があった。
【０００７】
それは、再生ジッタは、記録品質を見極めるための一つの指標値であると考えられるが、再生ジッタが悪化したからといって、適正な記録レーザパワーが高すぎるのか低すぎるかの判断はつかないからである。特に、記録レーザパワーと再生ジッタの関係のサンプリングが少ないときは、記録レーザパワーを調整する際に誤って適正なパワーとは逆の方向に動かしてしまう場合も想定される。さらには、レーザパワーの調整方向がわかったとしてもどの程度パワーを変動させればよいのか判断がつきにくい。
【０００８】
本発明は、上記課題であるパワー調整の精度について考慮し、より精度良く記録レーザパワーを調整することができるよう考慮したレーザパワー調整を行う光ディスク装置、および光ディスクである。
【課題を解決するための手段】
【０００９】
上記課題は、特許請求の範囲に記載された発明により達成される。
すなはち、ユーザデータ領域にユーザデータを記録する際に、記録すべきユーザデータに、記録レーザパワー調整用のデータをも付加してともに記録する。そして、付加された記録レーザパワー調整用のデータを再生することで、これからユーザデータを記録する領域に適した記録レーザパワーが得られる記録位置に適した記録レーザパワーの調整を行うことが出来る。
【発明の効果】
【００１０】
光ディスクの記録位置に適した記録レーザパワーを調整することができ、記録品質の向上が図れる。
【発明を実施するための最良の形態】
【００１１】
本発明を実施するにあたり、一般的な光ディスク装置に特別な機能を付加する必要はない。
【００１２】
まずは本発明内容の説明の前に、一般的な光ディスク装置と従来のＯＰＣについて説明をし、その後本発明についての説明を行うこととする。
【００１３】
図３を使い、光ディスク装置がディスクにデータを記録するまでの一連の流れを例に示し、一般的な光ディスク装置について説明する。
【００１４】
光ディスク装置にて光ディスク３０１にデータを記録するには、まずドライブ制御システム３０２が、スピンドル機構３０６を制御し、光ディスク３０１を回転させる。そして、ドライブ制御システム３０２が、記録すべき任意のデータと、光ピックアップ３０４が照射する記録時のレーザパワーと、ディスク３０１上へのデータ記録位置と、を指定する。
【００１５】
レーザ制御装置３０３は、ドライブ制御システム３０２が指定したレーザパワーで光ピックアップ３０４からレーザ３０７が照射されるよう制御を行う。光ピックアップ駆動機構３０５は、ドライブ制御システム３０２が指定した光ディスク３０１上のデータ記録位置にて記録ができるよう光ピックアップ３０４を制御し所望の位置に移動させる。その後、光ピックアップ３０４から記録用のパワーにてレーザ３０７をディスク３０１に照射し、データを記録する。これが記録時の一連の流れである。
【００１６】
一般的なＯＰＣについて、図３、図４を用いて説明する。図４は、ディスク３０１上のＰＣＡを使った一般的なＯＰＣの方法を示したものである。まずは、ディスク３０１上のＰＣＡ４０１に、光ピックアップ３０４を位置づけ、ＰＣＡ４０１内の領域４０２に記録レーザパワーを変動させてデータの記録を行う。たとえば４０３，４０４、４０５，４０６，４０７、４０８、４０９，４１０のようにレーザパワーの値を変動させ記録する。
【００１７】
次に、４０２の再生を行う。４０２に光ピックアップ３０４を位置づけ、ドライブ制御装置３０２がレーザ制御装置３０３へ記録パワーより低い再生用のレーザパワーを照射するよう指示する。光ピックアップ３０４から再生用のレーザパワーを照射し、４０２の反射光を光ピックアップ３０４を経て取得することで、４０２のデータを再生する。
【００１８】
このときの再生信号から記録品質の指標値となる値を取得する。これにより、再生箇所の記録品質を評価することができる。ここで、記録時に４０３，４０４、４０５，４０６，４０７、４０８、４０９，４１０のようにレーザパワーを変動させて記録しているため、各レーザパワーにて記録した領域をそれぞれ再生することにより、変動させたパワー毎に、記録品質の指標値４１１、４１２、４１３、４１４、４１５、４１６、４１７、４１８が取得できるため、レーザパワーと記録品質の指標値との関係を精度良く算出することができる。
【００１９】
この関係を基に、記録時のレーザパワーを調整することが可能である。上記が一般的なＯＰＣである。本例は一例であるため、レーザパワーの変動回数や指標値の分布などは、これに限ったことではない。
【００２０】
以下に、本発明の記録レーザパワー調整について述べる。本発明の記録レーザパワー調整で特徴的なのは、ユーザデータ領域にデータを記録する時に、同時に記録レーザパワー調整に使用するデータをも記録することにある。本データは従来のＯＰＣ時に記録するようなデータと類似したものであるため、以下ＯＰＣデータと称す。１０２は実際に３０１上のユーザデータ領域に記録すべきユーザデータである。１０１は、ＯＰＣデータである。
【００２１】
ユーザデータ１０２をユーザデータ領域１０３に記録する時に、それに同期してＯＰＣデータ１０１も記録する。ここでいう同期とは、ＯＰＣデータ１０１を記録し、このデータを再生し、ユーザデータ１０２の記録に適した記録レーザパワー調整を行い、ユーザデータ１０２を記録することである。これにより、ユーザデータ領域１０３に記録を行った時に、ＯＰＣデータ１０１もユーザデータ領域１０３に記録される。よってユーザデータ１０２の記録を繰り返すことにより、ユーザデータ領域１０３内にＯＰＣデータ１０１が点在することとなる。
【００２２】
そして、本発明では、次回ディスク記録位置に最も近いＯＰＣデータ１０１を再生し、該再生データを基に記録レーザパワーを調整する。図１では、ＯＰＣデータ１０１とユーザデータ１０２のデータが隣接しているが、一例であるため隣接する必要はない。また、ＯＰＣデータ１０１と、ユーザデータ１０２の順番が入れ替わっていてもかまわない。
【００２３】
ＯＰＣデータ１０１には、図４に示した従来のＯＰＣのように、記録レーザパワーを算出するために都合がよいデータを記録すればよい。図４のように記録レーザパワーを変動させて記録すればユーザデータ領域内において、従来ＰＣＡに記録するようなデータが記録され、該データを再生することで従来のＯＰＣと同等の記録レーザパワー調整が実現できる。
【００２４】
これにより、従来方法で課題となっていたユーザデータ領域内における記録レーザパワー調整の精度問題を解決することができる。
【００２５】
また、従来のＯＰＣでは必ずＰＣＡを利用するため、ＯＰＣ実行時には必ずディスクの内周及び外周に設けたＰＣＡまで光ピックアップ１０４を移動させる必要があった。そのため環境温度が変わるなどして記録レーザパワー調整が必要とされた時には、光ピックアップ１０４をＰＣＡに移動させることで幾らかの不都合な点があった。一つに、光ピックアップ１０４の移動時間がデータ記録時間に影響し、光ディスクドライブの記録パフォーマンスを低下させることがある。
【００２６】
また、光ピックアップ１０４を移動させることで、余計な振動や騒音を光ディスクドライブに与えることがある。例えばカメラなどに光ディスクドライブを適用している場合は、騒音の音を取り込んだり、振動による手ぶれがおきたりと、使用しているユーザにとっては由々しき問題となっていた。
【００２７】
本発明では、記録中においてユーザデータ領域内の次回データ記録位置の近傍領域にてＯＰＣのようなパワー調整が実現できるため、光ピックアップ１０４の移動が少なくなり上記問題を解消することができる。
【００２８】
さらには、従来のＯＰＣでは、ディスク内外において感度特性が異なっていた場合や、記録位置に指紋などの汚れがあった場合には、ＰＣＡにて調整した記録レーザパワーが最適でない場合があったが、本発明では、ユーザデータ記録位置のすぐ近傍においてレーザパワー調整が可能であるため、ディスク位置に応じて適した記録レーザパワーに調整することができ、常に良好な記録品質を保つことができる。
【００２９】
以下に本発明をさらに効果的にする方法を示す。
通常、ユーザデータ１０２を光ディスク３０１に記録する際、ユーザデータ１０２にエラー訂正用の符号を付加したデータ構造の最小単位がユーザデータ記録の最小単位である。以下、ユーザデータ１０２を記録する上での最小記録単位をユーザデータブロックと称す。
【００３０】
本発明をさらに効果的にするには、ユーザデータブロック単位に同期してＯＰＣデータ１０１を記録すれば良い。これにより、既記録部であれば、光ディスク３０１全体にＯＰＣデータ１０１が点在することとなるため、記録レーザパワー調整の精度が大きく向上する。
【００３１】
上記の例では、本発明の応用としてユーザデータブロックをユーザデータ１０２と考えた場合を示したが、本例は一例であるため、ユーザデータ１０２がユーザデータブロック単位である必要性はない。
【００３２】
本発明を適用するにあたり、ＯＰＣデータ１０１をユーザデータブロックに同期して記録を行う場合を考えると、光ディスク３０１のユーザデータ領域は有限であるため、あまりにＯＰＣデータ１０１が占有する領域が多くなると、ユーザデータ１０２を記録できる領域が狭くなる。そこで、本発明では、ＯＰＣデータ１０１を以下のように使うこともできる。
【００３３】
通常、ＯＰＣを行う場合は図４にて説明するようにＰＣＡにレーザパワーを変動させて記録を行う。本発明でユーザデータブロックに同期してＯＰＣデータ１０１を記録する場合で、ユーザデータ領域にユーザデータ１０２を多く書き込みたいときは、ＯＰＣデータ１０１の領域を小さくする必要がある。よって、該ＯＰＣデータ１０１用の領域を小さくした場合においては、図４のようにレーザパワーを多く変動させて記録することが難しくなる。
【００３４】
この場合は、図２に示すようにＯＰＣデータ１０１の記録の仕方を変えれば良い。図２に本発明の一例として、ＯＰＣデータ１０１とユーザデータ１０２を１回の記録単位であるデータブロックとして８回繰り返して記録するもので、８回ユーザデータブロックを記録した場合を示す。８回ユーザデータブロックを記録すると、当然それに同期して８回分ＯＰＣデータ１０１を記録することとなる。この時、１回分のＯＰＣデータ１０１を記録するときにレーザパワーを変動しないで記録するようにする。そして図２に示すように、ＯＰＣデータ１０１への記録レーザパワーを８回分異なるものとし、記録レーザパワーを求める際には、８箇所のＯＰＣデータ１０１を再生する。なお、ＯＰＣデータ１０１への記録レーザパワーを８回分異なるものとしたが、少なくとも２つ以上の異なる値のものであれば良い。
【００３５】
これにより、ＯＰＣデータ１０１の領域を大きく取得できない場合においてもレーザパワーを調整することが可能である。本例は一例であるため、レーザパワー変動回数を８回にする必要はない、さらに１回のＯＰＣデータ１０１が単独のパワーで記録したデータである必要もない。もちろん、ＯＰＣデータ１０１を複数種類のレーザパワーで記録し、さらに複数個のＯＰＣデータ１０１から記録レーザパワー調整を行っても良い。
【００３６】
さらに上記方法を効率的にするために、光ディスク３０１にユーザデータ１０２を記録する前に、あらかじめ従来のＯＰＣを実行しておくとよい。光ディスク３０１が、ディスク位置によって感度特性が変動するものであったとしても、ＯＰＣにて算出した記録パワーとそのディスク位置における適した記録パワーが、著しく異なるパワーを必要とする場合は稀である。
【００３７】
そのため、あらかじめＯＰＣを実行し、記録レーザパワーを算出しておくことで、上記ＯＰＣデータ１０１のレーザパワー変動回数を減少させることができる。例えば図２を使って説明すると、レーザパワーを２０１から２０８まで広く変動させる必要はなく、最適記録パワーに近い２０２から２０６のレーザパワーにてＯＰＣデータ１０１を記録し再生することで最適を求めた記録パワー２０４を算出することができるということである。
【００３８】
本方法によれば、ＯＰＣデータ１０１を有効に活用することが可能で、ディスク全体においてさらに精度よく記録レーザパワーを調整することができる。
【００３９】
また、本発明においてＯＰＣデータ１０１を使い、従来のＯＰＣの方法に近いレーザパワー調整方法について述べたが、必ずしも従来のＯＰＣと同じようなやり方でパワー調整をする必要性もない。ＯＰＣデータ１０１をレーザパワー調整用のデータとして別の使い方をしてもかまわない。
【図面の簡単な説明】
【００４０】
【図１】本発明におけるユーザデータ領域におけるデータ記録方法
【図２】本発明におけるユーザデータ領域におけるデータ記録方法の応用
【図３】一般的な光ディスク装置構成図
【図４】一般的なＯＰＣの方法
【符号の説明】
【００４１】
１０１…ＯＰＣデータ、  １０２…ユーザデータ、  １０３…ユーザデータ領域、
２０１，２０２，２０３，２０４，２０５，２０６，２０７，２０８…レーザパワー、
３０１…光ディスク、  ３０２…ドライブ制御システム、  ３０３…レーザ制御装置、
３０４…光ピックアップ、  ３０５…光ピックアップ駆動機構、
３０６…スピンドル機構、  ３０７…レーザ、  ４０１…ＰＣＡ、
４０２…ＰＣＡ内の領域、
４０３，４０４，４０５，４０６，４０７，４０８，４０９，４１０…レーザパワー、
４１１，４１２，４１３，４１４，４１５，４１６，４１７，４１８…レーザパワーごとの記録品質指標値。
【図１】
2007109288.tif 000003
【図２】
2007109288.tif 000004
【図３】
2007109288.tif 000005
【図４】
2007109288.tif 000006